(57)【要約】【課題】洗濯、すすぎ、脱水の一連の行程に必要に応じて乾燥行程を付加して自動運転する洗濯機において、外出先から洗濯を開始させ、使用者の都合にあわせた時刻に洗濯が終了するようにして、予測した予約時間のズレを吸収する、あるいは帰宅時刻の変動に柔軟に対応できるようにする。【解決手段】携帯電話３４からの指令信号を受信する洗濯機送受信部３６を備え、携帯電話３４の遠隔操作で洗濯動作を開始させる制御部３７を有するものである。【選択図】  図１
2005034180.tif 000002
【特許請求の範囲】
【請求項１】
携帯電話からの指令信号を受信する送受信部を備え、携帯電話の遠隔操作で洗濯動作を開始させる制御手段を有する洗濯機。
【請求項２】
制御手段は、洗濯予約待機中に、携帯電話の遠隔操作で洗濯動作を開始させるようにした請求項１記載の洗濯機。
【請求項３】
携帯電話からの指令信号を受信する送受信部を備え、携帯電話の遠隔操作で電源を遮断する制御手段を有する洗濯機。
【請求項４】
制御手段は、洗濯予約待機中に、携帯電話の遠隔操作で電源を遮断するようにした請求項３記載の洗濯機。
【請求項５】
制御手段は、インターネットに接続された端末装置と通信し、携帯電話のインターネットからの信号を受信可能とした請求項１〜４のいずれか１項に記載の洗濯機。
【請求項６】
制御手段は、端末装置と無線で通信するようにした請求項５記載の洗濯機。
【請求項７】
制御手段は、端末装置と宅内の電灯線で通信するようにした請求項５記載の洗濯機。
【請求項８】
制御手段とインターネットに接続された端末装置との通信をＥＣＨＯＮＥＴ規格に基づいたプロトコルで行うようにした請求項５〜７のいずれか１項に記載の洗濯機。
【請求項９】
制御手段は、インターネットに接続可能で携帯電話のインターネットからの信号を受信可能とした請求項１〜４のいずれか１項に記載の洗濯機。
【発明の詳細な説明】
【０００１】
【発明の属する技術分野】
本発明は、洗濯、すすぎ、脱水の一連の行程に必要に応じて乾燥行程を付加して自動運転する洗濯機に関する。
【０００２】
【従来の技術】
従来、この種の洗濯機は図９〜図１１に示すように構成していた。以下、その構成について説明する。
【０００３】
図９に示すように、洗濯機１は、略長方体状に構成した筐体３を備えており、この筐体３の内部に、略円筒形に構成した水受け槽４を吊り棒５によって吊り下げ、この水受け槽４内に、略円筒形状に構成した洗濯兼脱水槽６を内包している。洗濯兼脱水槽６の底部には、攪拌翼７を垂直方向に沿った軸の回りに回転自在に設けている。
【０００４】
水受け槽４には、攪拌翼７を回転させるモータ８を設け、モータ８は、直流ブラシレスモータによって構成している。モータ８と攪拌翼７との間には、動力切換機構９を設け、この動力切換機構９は、洗濯時にはモータ８からの駆動力を減速して攪拌翼７へ伝達し、脱水時にはモータ８からの駆動力を１対１で攪拌翼７へ伝達する。
【０００５】
水受け槽４の上には、散水用の吐出部を形成するカバー体１０を設けている。また、水受け槽４の上方に、洗濯兼脱水槽６内に水を給水する給水弁１１を設けている。水受け槽４の下方に、水受け槽４内の洗濯水を排水する排水弁１２を設けている。
【０００６】
水受け槽４の下部に接続部１３を設け、この接続部１３に水受け槽４の水位を検知する水位検知器１４を接続し、水位検知器１４は接続部１３における水圧を電気的な周波数に変換する。
【０００７】
モータ８は、図１０に示すように、インバータ回路１５によって駆動され、インバータ回路１５は、６個のスイッチング素子１６ａ〜１６ｆを有し、各スイッチング素子１６ａ〜１６ｆは、パワートランジスタと逆導通ダイオードとによって構成される並列回路をそれぞれ有している。
【０００８】
電源スイッチ１７は自己保持接点型のスイッチで構成し、この電源スイッチ１７を押すことで商用電源に接続され電源回路１８をはじめ各駆動部への電力を供給する。商用電源はダイオードブリッジ１９とチョークコイル２０と平滑用コンデンサ２１とによって構成した直流電源変換装置を介してインバータ回路１５へ電力を供給する。また、商用電源は、給水弁１１と排水弁１２と動力変換機構９へ電力を供給する。
【０００９】
モータ８には、３個の位置検出器２２ａ、２２ｂ、２２ｃを設けている。各位置検出器２２ａ、２２ｂ、２２ｃは、モータ８の回転位置を検出する。
【００１０】
制御部２３は、回転制御部２４を設けており、この回転制御部２４は、各位置検出器２２ａ、２２ｂ、２２ｃによって検出されたモータ８の回転位置と水位検知器１４によって検知された水受け槽４の水位とに基づいて、駆動回路２５を制御する。駆動回路２５は、回転制御部２４からの指示に基づいてインバータ回路１５を駆動する。
【００１１】
給水弁１１、排水弁１２、動力変換機構９は、負荷駆動部２５に接続しており、この負荷駆動部２５は、制御部２３からの指示に基づいて、給水弁１１、排水弁１２、動力変換機構９をそれぞれ駆動する。
【００１２】
操作部２は、洗い時間、すすぎ回数、脱水時間などを入力する入力部２６と、入力部２６に入力された洗い時間、すすぎ回数、脱水時間などを表示する表示部２７とを有し、入力部２６は、図１１に示すように、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチボタン２６ｄ、スタート・一時停止スイッチ２６ｅ、電源入りスイッチ３６ｆ、電源切りスイッチ２６ｇなどを有し、また、予約設定をする予約設定スイッチ２６ｈを有している。表示部２７は、洗い時間表示部２７ａ、すすぎ回数表示部２７ｂ、脱水時間表示部２７ｃ、乾燥時間表示部２７ｄなどを有している（例えば、特許文献１参照）。
【００１３】
上記構成において、図１２を参照しながら通常洗濯の動作を説明する。まず、ステップＳ１で電源スイッチ１７を押すと、ステップＳ２にて初期待機状態になる。つぎに、使用者はステップＳ３で行程を設定し、ステップＳ４でスタート・一時停止スイッチ２６ｅを押すと、ステップＳ５にて設定した行程の洗濯動作が開始し、制御部２３は設定された行程に従って、モータ８、給水弁１１、排水弁１２、動力変換機構９の動作を制御し、進行状況などを表示部２７に表示する。ステップＳ６にて設定された行程が終了すると、ステップＳ７にて制御部２３は信号を出して電源スイッチ１７の保持状態を解除し、電源スイッチ１７を開放して電源を遮断する。
【００１４】
つぎに、図１３を参照しながら予約洗濯の動作を説明する。まず、ステップＳ８で電源スイッチ１７を押すと、ステップＳ９にて初期待機状態になる。つぎに、使用者はステップＳ１０で行程を設定し、ステップＳ１１で洗濯を開始させたい時刻を入力し予約を設定し、ステップ１２にて予約待機する。この後、ステップＳ１３にて予約した時刻になると、ステップＳ１４にて設定した行程の洗濯動作が開始し、制御部２３は設定された行程に従って、モータ８、給水弁１１、排水弁１２、動力変換機構９の動作を制御し、進行状況などを表示部２７に表示する。ステップＳ１５にて設定された行程が終了すると、ステップＳ１６にて制御部２３は信号を出して電源スイッチ１７の保持状態を解除し、電源スイッチ１７を開放して電源を遮断する。
【００１５】
【特許文献１】
特開２００２−１１９７８８号公報
【００１６】
【発明が解決しようとする課題】
このような従来の構成では、外出時に予約洗濯をする場合は、帰宅時刻などある目標とする時刻を予測してその現在時刻を引き算して数値を入力しなければならない。このとき、計算を間違えることもある。また、長時間後の終了時刻を前もって予測するのは容易ではない。さらに、朝に夕方の帰宅時刻を予測して予約洗濯を設定して外出した際に、大幅な帰宅時刻の変動に柔軟に対応できる術はないという問題を有していた。
【００１７】
また、予約洗濯を設定して外出した際に、事情により予約洗濯を中止したいと思ってもそれに対応する術はないという問題を有していた。
【００１８】
また、外出時に電源の切忘れに気づいたときや、電源を切ったかどうかがわからず不安になったときに電源を遮断することは不可能である。
【００１９】
本発明は上記従来の課題を解決するもので、外出先から洗濯を開始させ、使用者の都合にあわせた時刻に洗濯が終了するようにして、予測した予約時刻のずれを吸収できるようにするとともに、帰宅時刻の変動に柔軟に対応できるようにすることを第１の目的としている。
【００２０】
また、外出時に電源の切忘れに気づいたときや、電源を切ったかどうかがわからず不安になったときに、洗濯機の電源を遮断できるようにすることを第２の目的としている。
【００２１】
【課題を解決するための手段】
本発明は上記第１の目的を達成するために、携帯電話からの指令信号を受信する送受信部を備え、携帯電話の遠隔操作で洗濯動作を開始させる制御手段を有するものである。
【００２２】
これにより、携帯電話を操作することで、外出先から洗濯を開始させることができ、使用者の都合にあわせた時刻に洗濯が終了できるようにできて、予測した予約時刻のずれを吸収できるとともに、帰宅時刻の変動に柔軟に対応することができる。
【００２３】
また、上記第２の目的を達成するために、携帯電話からの指令信号を受信する送受信部を備え、携帯電話の遠隔操作で電源を遮断する制御手段を有するものである。
【００２４】
これにより、外出時に電源の切忘れに気づいたときや、電源を切ったかどうかがわからず不安になったときに、携帯電話を操作することで、洗濯機の電源を遮断することができる。
【００２５】
【発明の実施の形態】
本発明の請求項１に記載の発明は、携帯電話からの指令信号を受信する送受信部を備え、携帯電話の遠隔操作で洗濯動作を開始させる制御手段を有するものであり、携帯電話を操作することで、外出先から洗濯を開始させることができ、使用者の都合にあわせた時刻に洗濯が終了できるようにできて、予測した予約時刻のずれを吸収できるとともに、帰宅時刻の変動に柔軟に対応することができる。
【００２６】
請求項２に記載の発明は、上記請求項１に記載の発明において、制御手段は、洗濯予約待機中に、携帯電話の遠隔操作で洗濯動作を開始させるようにしたものであり、朝に夕方の帰宅時刻を予測して予約洗濯を設定して外出し、大幅に帰宅時刻が変動した場合に、携帯電話を操作することで、外出先から洗濯を開始させることができ、使用者の都合にあわせた時刻に洗濯が終了できるようにできて、予測した予約時刻のずれを吸収できるとともに、帰宅時刻の変動に柔軟に対応することができる。
【００２７】
請求項３に記載の発明は、携帯電話からの指令信号を受信する送受信部を備え、携帯電話の遠隔操作で電源を遮断する制御手段を有するものであり、外出時に電源の切忘れに気づいたときや、電源を切ったかどうかがわからず不安になったときに、携帯電話を操作することで、洗濯機の電源を遮断することができる。
【００２８】
請求項４に記載の発明は、上記請求項３に記載の発明において、制御手段は、洗濯予約待機中に、携帯電話の遠隔操作で電源を遮断するようにしたものであり、外出先などで予約待機中に、携帯電話を操作することで、予約を中止し洗濯機の電源を遮断することができる。
【００２９】
請求項５に記載の発明は、上記請求項１〜４に記載の発明において、制御手段は、インターネットに接続された端末装置と通信し、携帯電話のインターネットからの信号を受信可能としたものであり、インターネットに接続できる一般の携帯電話サービスで、電話さえつながれば、日本中どこからでも、外出先から洗濯を開始させたり、洗濯機の電源を遮断することができる。
【００３０】
請求項６に記載の発明は、上記請求項５に記載の発明において、制御手段は、端末装置と無線で通信するようにしたものであり、ケーブルやケーブルの差込口を設ける必要がなく、配線などによる設置場所の制限や配線のわずらわしさなどをなくすることができる。
【００３１】
請求項７に記載の発明は、上記請求項５に記載の発明において、制御手段は、端末装置と宅内の電灯線で通信するようにしたものであり、プラグを差込む商用電源のコンセントを使用して通信することができ、無線で通信する場合に必要な送受信回路などが必要でなく、しかも有線で通信することにより通信の信頼性を高めることができる。
【００３２】
請求項８に記載の発明は、上記請求項５〜７に記載の発明において、制御手段とインターネットに接続された端末装置との通信をＥＣＨＯＮＥＴ規格に基づいたプロトコルで行うようにしたものであり、ＥＣＨＯＮＥＴ規格は、家庭電化機器をネットワークによって接続するための規格であり、特に既設住宅においても家庭電化機器をネットワークに容易に接続し、コントロールできる汎用的かつオープンなシステムを構成し、システムの信頼性が高く、汎用性が高いので他の家電機器と共存が可能である。
【００３３】
請求項９に記載の発明は、上記請求項１〜４に記載の発明において、制御手段は、インターネットに接続可能で携帯電話のインターネットからの信号を受信可能としたものであり、端末装置などが不要となり、一般的なインターネットプロトコルのみを使用し簡単なシステムで構成することができる。
【００３４】
【実施例】
以下、本発明の実施例について、図面を参照しながら説明する。なお、従来例と同じ構成のものは同一符号を付して説明を省略する。
【００３５】
（実施例１）
図１および図２に示すように、端末装置３０は、電話回線３１を通してインターネットを構成するサーバー３２より与えられる指令に基づいて、洗濯機３３を制御するもので、端末装置３０と洗濯機３３とは、無線によるネットワークを介して接続している。
【００３６】
すなわち、端末装置３０は、電話回線３１を通してサーバー３２に接続し、携帯電話３４より与えられる指令信号をインターネットを介して端末装置３０で処理し、端末送受信部３５から無線で受発信する。洗濯機３３は、洗濯機送受信部（送受信部）３６を有し、端末送受信部３５と送受信する信号は、制御部（制御手段）３７に設けた通信制御部３８で処理する。
【００３７】
ここで、制御３７と端末装置３０との通信をＥＣＨＯＮＥＴ規格に基づいたプロトコルで行うようにしている。ＥＣＨＯＮＥＴ規格は、家庭電化機器をネットワークによって接続するための規格であり、特に既設住宅においても家庭電化機器をネットワークに容易に接続し、コントロールできる汎用的かつオープンなシステムを構成するものである。
【００３８】
制御部３７は、回転制御部２４からの指示に基づいてインバータ回路１５を駆動するとともに、負荷駆動部２５を介して給水弁１１、排水弁１２、動力変換機構９をそれぞれ駆動し、洗濯、すすぎ、脱水の一連の行程を逐次制御する。さらに、制御部３７は、携帯電話３４の遠隔操作で洗濯動作を開始するよう構成している。
【００３９】
上記構成において、図３を参照しながら動作を説明する。まず、ステップＳ１７で電源スイッチ１７を押す。これによりステップＳ１８の初期待機状態になる。つぎに、使用者はステップＳ１９で洗濯の行程を設定する。ステップＳ２０で端末装置３０より信号がない場合はステップＳ２３へ進み、ステップＳ２３でスタート・一時停止スイッチ２６ｅを押すと、ステップＳ２４で行程が開始し、ステップＳ２５にて設定された行程が終了すると、ステップＳ２６にて電源スイッチ１７を開放し、電源を遮断する。
【００４０】
一方、ステップＳ１９にて行程を設定した後、ステップＳ２３のスタート・一時停止スイッチを押す動作をしなければ、不定時間の予約待機状態となる。この不定時間の予約待機状態のステップＳ２０にて、携帯電話３４からインターネットを介して指示され端末装置３０より信号があり、ステップＳ２１の運転開始指示があればステップＳ２３のスタート・一時停止スイッチを押すと同じ状態となり、ステップＳ２４の行程開始となる。
【００４１】
また、ステップＳ１９の行程を設定した後、ステップＳ２３のスタート・一時停止スイッチを押す動作をしない不定時間の予約待機状態で、ステップＳ２２の電源切指示があればステップＳ２４以降の行程をせずにステップＳ２６の電源を遮断することができる。
【００４２】
このように本実施例によれば、制御部３７は、携帯電話３４の遠隔操作で洗濯動作を開始させるので、洗濯機の通常動作の過程で行程を設定し、予約設定をせずに不定時間の予約待機状態とし、外出先などから携帯電話３４で任意の時刻に洗濯の行程を開始することができ、予測の難しい予約時刻の設定なしに自分の希望にあわせた予約洗濯ができるとともに、帰宅時刻の変動に柔軟に対応することができる。
【００４３】
また、制御部３７は、携帯電話３４の遠隔操作で電源を遮断するので、外出時に電源の切忘れに気づいたときや、電源を切ったかどうかがわからず不安になったときに、予約設定をせずに不定時間の予約待機状態で、携帯電話３４を操作することで、洗濯機の電源を遮断することができ、電源の切忘れ、電源の切の再度徹底をすることができる。
【００４４】
また、制御部３７は、インターネットに接続された端末装置３０と通信し、携帯電話３４のインターネットからの信号を受信可能としたので、インターネットに接続できる一般の携帯電話サービスで、電話さえつながれば、日本中どこからでも、外出先から洗濯を開始させたり、洗濯機の電源を遮断することができる。
【００４５】
また、制御部３７は、端末装置３０と無線で通信するようにしたので、ケーブルやケーブルの差込口を設ける必要がなく、配線などによる設置場所の制限や配線のわずらわしさなどをなくすることができる。
【００４６】
また、制御部３７と端末装置３０との通信をＥＣＨＯＮＥＴ規格に基づいたプロトコルで行うようにしたので、既設住宅においても家庭電化機器をネットワークに容易に接続し、コントロールできる汎用的かつオープンなシステムを構成し、システムの信頼性が高く、汎用性が高いので他の家電機器と共存することができる。
【００４７】
なお、本実施例では、ＥＣＨＯＮＥＴ規格に基づいた無線によって端末装置３０と洗濯機３３とを通信する例を示したが、ＥＣＨＯＮＥＴ規格に基づいた有線式のイーサネット（登録商標）、赤外線またはｂｌｕｅｔｏｏｔｈによって接続されていてもよい。ＥＣＨＯＮＥＴ規格でない独自のシステムでも可能である。
【００４８】
また、端末装置３０をインターネットに接続し、携帯電話３４と情報をやり取りする方法として、インターネットプロトコルを使用した方法に限定されるものでなく、既存の電話回線を使用した音声周波通信でも同様の効果を得ることができる。
【００４９】
（実施例２）
図１に示す制御部（制御手段）３７は、予約設定をする予約設定スイッチ２６ｈ（図１１参照）を押し、洗濯を開始させたい時刻を入力し予約を設定した洗濯予約待機中に、携帯電話３４の遠隔操作で洗濯動作を開始させるようにしている。また、制御部３７は、洗濯予約待機中に、携帯電話３４の遠隔操作で電源を遮断するようにしている。他の構成は上記実施例１と同じである。
【００５０】
上記構成において図４を参照しながら動作を説明する。まず、ステップＳ２７で電源スイッチ１７を押す。これによりステップＳ２８の初期待機状態になる。つぎに、ステップＳ２９で洗濯の行程を設定し、ステップＳ３０で洗濯を開始させたい時刻を入力して予約を設定する。予約設定スイッチ２６ｈを１回押すと１時間、さらに複数回押すと押した回数分の時間が追加され、希望の時間分を入力した後、スタート・一時停止スイッチ２６ｅを押すと予約が設定され、ステップＳ３１の予約待機状態となる。
【００５１】
予約待機状態になると、すべての表示部が消灯し、不要な消費電力はカットされる。ステップＳ３２で端末装置３０より信号がない場合はステップＳ３５へ進み、ステップＳ３５にて予約した時刻になると、ステップＳ３６にて行程を開始する。ステップＳ３７で行程が終了すると、ステップＳ３８にて制御部３７は電源スイッチ１７を開放し、電源を遮断する。
【００５２】
一方、ステップＳ３１の予約待機状態で、ステップＳ３２にて携帯電話３４からインターネットを介して指示して、端末装置３０からステップＳ３３の運転開始指示があれば、ステップＳ３５の予約時刻を経過したこと同じ状態となり、ステップＳ３６の行程開始となる。また、ステップＳ３１の予約待機状態で、ステップＳ３４の電源切指示があればステップＳ３６以降の行程をせずにステップＳ３８にて電源を遮断する。
【００５３】
このように本実施例によれば、制御部３７は、洗濯予約待機中に、携帯電話３４の遠隔操作で洗濯動作を開始させるようにしたので、朝に夕方の帰宅時刻を予測して予約洗濯を設定して外出し、大幅に帰宅時刻が変動した場合に、携帯電話３４を操作することで、外出先から洗濯を開始させることができ、使用者の都合にあわせた時刻に洗濯が終了できるようにできて、予測した予約時刻のずれを吸収できるとともに、帰宅時刻の変動に柔軟に対応することができる。
【００５４】
また、制御部３７は、洗濯予約待機中に、携帯電話３４の遠隔操作で電源を遮断するようにしたので、外出先などで予約待機中に、携帯電話３４を操作することで、予約を中止し洗濯機の電源を遮断することができ、予約洗濯の中止や、電源の切忘れ、電源の切の再度徹底が可能である。
【００５５】
（実施例３）
図５に示すように、端末装置３６は、電話回線３１を通してサーバー３２に接続し、携帯電話３４より与えられる指令信号をインターネットを介して端末装置３６で処理し、端末送受信部３７から宅内の電灯線３８、３９を介して、洗濯機４０の洗濯機送受信部４１を通り制御部（制御手段）４２の通信制御部４３に伝えるよう構成している。他の構成は上記実施例１または２と同じである。なお、上記構成における動作は、上記実施例１の図３に示す動作と、上記実施例２の図４に示す動作と同じであるので、説明を省略する。
【００５６】
これにより、上記実施例１または２と同様に、携帯電話３４を操作して洗濯機４０の行程動作を開始させたり、電源を遮断することができる。さらに、情報伝達経路を電力の供給を受けている商用電源の電灯線３８、３９を使用することから、プラグを差込む商用電源のコンセントを使用して通信することができ、無線で通信する場合に必要な送受信回路などが必要でなく、しかも有線で通信することにより通信の信頼性を高めることができる。
【００５７】
（実施例４）
図６に示すように、洗濯機４４は、洗濯機送受信部４５を有し、この洗濯機送受信部４５からモデム４６を介して、インターネットを構成するサーバー３２に接続し、携帯電話３４からの運転開始指示信号あるいは電源切信号を直接洗濯機送受信部４５にて受信し、洗濯機４４の制御部４７の通信制御部４８に入力するように構成している。このときのプロトコルは通常のインターネットプロトコルであり、現在はＩＰｖ４を使用する。他の構成は上記実施例１または２と同じである。
【００５８】
上記構成において図７および図８を参照しながら動作を説明する。なお、図７のステップＳ１７〜ステップＳ１９の動作と、ステップＳ２３〜ステップＳ２６の動作は、上記実施例１の図３に示す動作と同じであり、図８のステップＳ２７〜ステップＳ３１の動作と、ステップＳ３５〜ステップＳ３８の動作は、上記実施例２の図４に示す動作と同じであるので説明を省略する。
【００５９】
図７のステップＳ１９にて行程を設定した後、ステップＳ２３のスタート・一時停止スイッチを押す動作をしなければ、不定時間の予約待機状態となる。そして、ステップＳ３９にて携帯電話３４からインターネットを介して指示して、携帯電話３４からステップＳ４０の運転開始指示があれば、ステップＳ２３のスタート・一時停止スイッチを押すと同じ状態となり、ステップＳ２４の行程開始となる。
【００６０】
また、ステップＳ１９にて行程を設定した後、不定時間の予約待機状態で、ステップＳ４１の電源切指示があれば、ステップＳ２４以降の行程をせずにステップＳ２６にて電源を遮断する。
【００６１】
つぎに、図８のステップＳ３１の予約待機状態で、ステップＳ４２にて携帯電話３４からインターネットを介して指示して、ステップＳ４３の運転開始指示があれば、ステップＳ３５の予約時刻を経過したこと同じ状態となり、ステップＳ３６の行程開始となる。
【００６２】
また、ステップＳ３１の予約待機状態で、ステップＳ４４の電源切指示があれば、ステップＳ３６以降の行程をせずにステップＳ３８にて電源を遮断する。
【００６３】
これにより、上記実施例１、２と同様に、携帯電話３４を操作して洗濯機４４の行程動作を開始させたり、電源を遮断することができる。また、洗濯機４４の洗濯機送受信部４５をモデム４６を介してインターネットに接続し、携帯電話３４からの運転開始指示信号あるいは電源切信号を直接洗濯機４４の制御部４７につながるため、端末装置などが不要となる。
【００６４】
なお、上記各実施例では、洗濯、すすぎ、脱水を行う洗濯機について説明したが、乾燥機能を備える洗濯乾燥機も同様の効果を得ることができる。
【００６５】
また、予約設定の方法として、設定した時刻が経過した時点で洗濯動作を開始する方法で説明したが、予約した行程の所要時間を自動的に計算し予約設定した時刻に洗濯が終了するようにしてもよく、同様の効果を得ることができる。
【００６６】
【発明の効果】
以上のように本発明の請求項１に記載の発明によれば、携帯電話からの指令信号を受信する送受信部を備え、携帯電話の遠隔操作で洗濯動作を開始させる制御手段を有するから、携帯電話を操作することで、外出先から洗濯を開始させることができ、使用者の都合にあわせた時刻に洗濯が終了できるようにできて、予測した予約時刻のずれを吸収できるとともに、帰宅時刻の変動に柔軟に対応することができる。
【００６７】
また、本発明の請求項３に記載の発明によれば、携帯電話からの指令信号を受信する送受信部を備え、携帯電話の遠隔操作で電源を遮断する制御手段を有するから、外出時に電源の切忘れに気づいたときや、電源を切ったかどうかがわからず不安になったときに、携帯電話を操作することで、洗濯機の電源を遮断することができる。
【図面の簡単な説明】
【図１】本発明の第１の実施例の洗濯機のブロック回路図
【図２】同洗濯機の斜視図
【図３】同洗濯機の洗濯動作を示すフローチャート
【図４】本発明の第２の実施例の洗濯機の予約洗濯動作を示すフローチャート
【図５】本発明の第３の実施例の洗濯機のブロック回路図
【図６】本発明の第４の実施例の洗濯機のブロック回路図
【図７】同洗機の洗濯動作を示すフローチャート
【図８】同洗濯機の予約洗濯動作を示すフローチャート
【図９】従来の洗濯機の断面図
【図１０】同洗濯機のブロック回路図
【図１１】同洗濯機の操作部の拡大正面図
【図１２】同洗濯機の洗濯動作を示すフローチャート
【図１３】同洗濯機の予約洗濯動作を示すフローチャート
【符号の説明】
３４  携帯電話
３６  洗濯機送受信部（送受信部）
３７  制御部（制御手段）
【図１】
2005034180.tif 000003
【図２】
2005034180.tif 000004
【図３】
2005034180.tif 000005
【図４】
2005034180.tif 000006
【図５】
2005034180.tif 000007
【図６】
2005034180.tif 000008
【図７】
2005034180.tif 000009
【図８】
2005034180.tif 000010
【図９】
2005034180.tif 000011
【図１０】
2005034180.tif 000012
【図１１】
2005034180.tif 000013
【図１２】
2005034180.tif 000014
【図１３】
2005034180.tif 000015